(57)【要約】【構成】（図示しない）容器に装着する下部構成部材（１１）に対して回転可能な上部構成部材（１０）上にスパウト（１５）を固定する。ディスペンサーポンプの輸送時や保管時には、スパウト（１５）を回転し、その内部開口を、吐き出し室を円周方向に分割する下部構成部材のアーム（１３）の先端で閉塞する。同時に、上部構成部材の空気用開口（２２）についても、吐き出し室（３１）下において環状空気室（３２）を円周方向に分割するアーム（１３）によって閉塞する。上部構成部材（１０）の内壁に摩擦接触する環状バリヤシール（２３）によって吐き出し室（３１）と空気室（３２）とを分離する。このように構成すると、漏れの危険を大幅に少なくできるため、ディスペンサーを閉じるさいに、ポンプを機械的にロックする必要がなくなる。【選択図】図４
2005506194.tif 000002
【特許請求の範囲】
【請求項１】
吐き出すべき液状内容物またはペースト状内容物を収容した容器に装着する下部構成部材（１１）およびこの下部構成部材（１１）に対して回転自在で、スパウト開口（１５）および空気用開口（２２）を形成した上部構成部材（１０）を有し、下部構成部材（１１）に容器内部と上部構成部材（１０）の内部とを連絡する流路（３０）を形成するとともに、この流路（３０）を第１逆止め弁（１９）によって制御するディスペンサーポンプにおいて、流路（３０）を取り囲む下部構成部材（１１）の環状吐き出し室（３１）と、スパウト開口（１５）から上部構成部材（１０）の内部に空気が流入するのを防止した状態で、上部構成部材（１０）の内部から上記内容物を吐き出す第２逆止め弁（１７）と、そして上記環状吐き出し室の周辺において、この周辺を円周方向に遮断する、下部構成部材（１１）に一体形成した閉塞要素（１３）とを設け、下部構成部材（１１）に対する上部構成部材（１０）の一つの角度方向において、スパウト開口（１５）および空気用開口（２２）を閉塞要素（１３）によって閉塞するとともに、上部構成部材（１０）の別な角度方向においては、上部構成部材（１０）の内部を環状吐き出し室（１３）を介してスパウト開口（１５）に連絡できるように構成し、かつ下部構成部材（１１）に設けた、容器の空気流入路を空気用開口（２２）に連絡するように構成したことを特徴とするディスペンサーポンプ。
【請求項２】
上記空気流入路が、環状吐き出し室（３１）下において上記流路を取り囲み、かつ上部構成部材（１０）と下部構成部材（１１）との間で摩擦接触する環状バリヤシール（２３）によって環状吐き出し室（３１）から分離された環状空気室（３２）を有し、スパウト開口（１５）の位置が環状吐き出し室（３１）の位置に一致するともに、バリヤシール（２３）の両側で空気用開口（２２）の位置が環状空気室（３２）の位置に一致するように、スパウト開口（１５）および空気用開口（２２）を下部構成部材（１１）に対する上部構成部材（１０）の回転軸線の方向に離間配設した請求項１記載のディスペンサーポンプ。
【請求項３】
閉塞要素（１３）がアーム（１３）の先端からなり、この先端が環状吐き出し室（３１）を円周方向に遮断する請求項１または２記載のディスペンサーポンプ。
【請求項４】
閉塞要素（１３）がアーム（１３）の先端からなり、この先端が空気室（３２）を円周方向に遮断する請求項２に従属する請求項３記載のディスペンサーポンプ。
【請求項５】
アーム（１３）が、上記回転軸線を含む平面内に存在し、かつスパウト開口（１５）および空気用開口（２２）が上記回転軸線を含む平面内に存在する請求項４記載のディスペンサーポンプ。
【請求項６】
第２逆止め弁（１７）が、下部構成部材（１１）の上記流路の上部領域から延長するともにこの上部領域を取り囲む偏向可能な部材であり、この偏向可能な部材の周辺が上部構成部材（１０）の内部の肩部（１８）に接触して、上記偏向可能な部材を上向き偏向させないが、下向き偏向させる請求項１〜５のいずれか１項記載のディスペンサーポンプ。
【請求項７】
上記偏向可能な部材が、環状吐き出し室（３１）の上端を構成する請求項６記載のディスペンサーポンプ。
【請求項８】
摩擦接触する円筒形構成部材表面より柔らかい材料でバリヤシール（２３）を構成した請求項２、または請求項２に従属する請求項３〜７のいずれか１項記載のディスペンサーポンプ。
【請求項９】
上部構成部材（１０）よりも柔らかい材料で下部構成部材（１１）を構成した請求項１〜８のいずれか１項記載のディスペンサーポンプ。
【請求項１０】
上部構成部材（１０）の上部領域（１６）が、自己回復性コンサーティナ構成をもち、これによって上部構成部材（１０）の内容積を可変にした請求項１〜９のいずれか１項記載のディスペンサーポンプ。
【発明の詳細な説明】
【技術分野】
【０００１】
本発明は、石鹸などの液体物質やペースト状物質を対象とする容器に取り付けたさいに、手動操作によって決められた量の物質を吐き出すタイプの改良ディスペンサーポンプに関する。このタイプのディスペンサーポンプは、公知であり、開放時に容器の圧力により噴霧体を噴霧する例えばエアロゾールスプレーなどを対象とする弁とは異なるものである。
【背景技術】
【０００２】
固定スパウト式ディスペンサーポンプの場合、下部の部材を容器に取り付け、この下部構成部材に対して上部構成部材を回転し、下部構成部材に対して静止している出口流路の位置に、上部構成部材上のスパウトの位置を合わせる。このポンプ自体は、ピストン／シリンダ式ポンプでもよく、あるいは上部構成部材の自己回復性の変形部分で構成してもよい。これを圧縮すると、上部構成部材の内容積が減少する。圧縮を解除し、膨張させると、容器の内容物が第１一方向弁により上部構成部材に吸い上げられる。次に、上部構成部材の変形部分を圧縮すると、上部構成部材に収容されている内容物が第２一方向弁によりスパウトから吐き出される。再度膨張させると、上部構成部材が、第２の決められた量の物質をその内部に吸い上げ、吐き出す準備が整う。
【０００３】
このポンプの場合、スパウトの位置が吐き出し流路の位置に一致している場合にのみ、吐き出しを行い、例えば輸送時や保管時にはポンプは“閉”位置にある。ところが、“閉”位置にあるときに、なんらかの理由でポンプが作動した場合に発生する漏れを未然に防止するためには、吐き出し流路の位置がスパウトの位置にないときにポンプが作動することを機械的に防止するロック装置を利用することが必要である。
【０００４】
吐き出し流路やスパウトに加えて、周囲の空気と容器の内部との間において第２流路をディスペンサーポンプに配設する必要があるため、漏れの可能性が大きくなる。容器に空気が流入して、吸い出された内容物に置き換えられないと、ポンプは作動しなくなる。このため、吐き出し流路がスパウト位置にあるときにのみ、上部構成部材の空気穴の位置に一致する空気流路を下部構成部材に設けている。ＥＰ−Ａ−０２７４８７７には、このような構成が開示されている。下部構成部材の吐き出し流路および空気流路のオリフィスを下部構成部材の円筒形外面周囲に円周方向に間隔を設けて配設するとともに、この間隔を上部構成部材の円筒形内面のスパウトと空気穴との間の円周方向間隔と等しく設定し、上部構成部材の回転時にこれら円筒形表面を相互に滑動させ、スパウトの位置が吐き出し流路から外れたときに、吐き出し流路と空気流路を閉じるようになっている。この構成では、ポンプに十分な圧力が作用した場合、円筒形表面間に漏れが生じることがある。また、容器内容物が、これら表面間において吐き出し流路から、空気穴およびスパウトのうちの少なくとも近い方に移動することがあり、これを防ぐために、機械的なロック装置を付設している。
【特許文献１】
ＥＰ−Ａ−０２７４８７７
【発明の開示】
【発明が解決しようとする課題】
【０００５】
ところが、この機械的なロック装置を付設すると、ディスペンサーポンプの構成が複雑になり、製造コストも高くなる。本発明の目的は、上部構成部材を閉位置に回転するさいにより効率のよりシールを使用することによって上記のロック装置の必要性をなくすことにある。
【課題を解決するための手段】
【０００６】
本発明は、吐き出すべき液状内容物またはペースト状内容物を収容した容器に装着する下部構成部材およびこの下部構成部材に対して回転自在で、スパウト開口および空気用開口を形成した上部構成部材を有し、下部構成部材に容器内部と上部構成部材の内部とを連絡する流路を形成するとともに、この流路を第１逆止め弁によって制御するディスペンサーポンプにおいて、流路を取り囲む下部構成部材の環状吐き出し室と、スパウト開口から上部構成部材の内部に空気が流入するのを防止した状態で、上部構成部材の内部から上記内容物を吐き出す第２逆止め弁と、そして上記環状吐き出し室の周辺において、この周辺を円周方向に遮断する、下部構成部材に一体形成した閉塞要素とを設け、下部構成部材に対する上部構成部材の一つの角度方向において、スパウト開口および空気用開口を閉塞要素によって閉塞するとともに、上部構成部材の別な角度方向においては、上部構成部材の内部を環状吐き出し室を介してスパウト開口に連絡できるように構成し、かつ下部構成部材に設けた、容器の空気流入路を空気用開口に連絡するように構成したことを特徴とするディスペンサーポンプを提供するものである。
【０００７】
好ましくは、上記空気流入路が、環状吐き出し室下において上記流路を取り囲み、かつ上部構成部材と下部構成部材との間で摩擦接触する環状バリヤシールによって環状吐き出し室から分離された環状室を有し、スパウト開口の位置が環状吐き出し室の位置に一致するともに、バリヤシールの両側で空気用開口の位置が環状空気室の位置に一致するように、スパウト開口および空気用開口を下部構成部材に対する上部構成部材の回転軸線の方向に離間配設する。
【０００８】
閉塞要素がアームの先端からなり、この先端が環状吐き出し室を円周方向に遮断するように構成する。また、閉塞要素がアームの先端からなり、この先端が空気室を円周方向に遮断するように構成してもよい。
【０００９】
アームが上記回転軸線を含む平面内に存在し、かつスパウト開口および空気用開口が上記回転軸線を含む平面内に存在するように構成してもよい。
【００１０】
本発明の好適な実施態様では、第２逆止め弁が、下部構成部材の上記流路の上部領域から延長するともにこの上部領域を取り囲む偏向可能な部材であり、この偏向可能な部材の周辺が上部構成部材の内部の肩部に接触して、上記偏向可能な部材を上向き偏向させないが、下向き偏向させるように構成する。
【００１１】
好ましくは、上記偏向可能な部材が、環状吐き出し室（３１）の上端を構成するようにする。
【００１２】
少なくとも、摩擦接触する円筒形構成部材表面より柔らかい材料でバリヤシール（２３）を構成する。また、上部構成部材よりも柔らかい材料で下部構成部材を構成する。
【００１３】
上部構成部材の上部領域が、自己回復性コンサーティナ構成をもち、これによって上部構成部材の内容積を可変にすることも可能である。
【発明を実施するための最良の形態】
【００１４】
図示のディスペンサーポンプの場合、上部構成部材１０を下部構成部材１１に対して回転自在に設ける。下部構成部材の環状双頭１２を上部構成部材１０の内面の双溝にスナップ嵌めし、上記の回転を行う。なお、この回転範囲は、下部構成部材のラジアルアーム１３と上部構成部材の段差部１４との当接によって１８０°未満に制限されている。上部構成部材１０にスパウト１５を固定し、上部構成部材１０の最上部１６を自己回復式コンサーティナベローズで構成する。ベローズ１６に押しつぶす圧力を加えると、上部構成部材１０の内容積が小さくなり、ベローズ１６が自己回復すると、内容積が元に戻るため、必要なポンプ作用を得ることができる。
【００１５】
下部構成部材１１の下端部に吐き出すべき液状物質またはペースト状物質を収容する容器（図示せず）に係合するめねじを形成する。容器の内部と上部構成部材１０の内部とを連絡する逆止め弁１９によって中心流路３０を制御する。図示の実施例では、逆止め弁１９はかご形玉弁であるが、この代わりにちょう形弁も使用することができる。使用するさいには、管（図示せず）を流路３０の下向き延長部２０から容器の底付近まで挿入し、少なくとも内容物がほぼすべて吐き出されるまで、ポンプ作用により容器から空気を排出する。
【００１６】
流路３０を取り囲む下部構成部材１１の環状吐き出し室３１は、その上壁を第２逆止め弁１７として構成するとともに、下壁の周囲２３が上部構成部材の内面と摩擦接触する。第２逆止め弁１７は、流路３０の最上端部を取り囲む環状部材で構成する。この環状部材は、上向き鉢形に構成し、その周辺に向かって細くして偏向できるように構成する。第２逆止め弁１７の周囲が上部構成部材１０内部の肩部１８に接触し、（スパウトから空気が上部構成部材の内部に流入するように）これ以上上向きに偏向できないようになっているが、下向きには偏向できるため、吐き出すべき内容物が上部構成部材１０の内部から区画室３１に流入できる。
【００１７】
ポンプ作用により空気を吐き出している間この空気によって容器の内容物を置換できるように、空気用開口２２をスパウト１５下の上部構成部材１０に形成する。下部構成部材１１の周囲の環状空気室３２を周辺２３によって吐き出し室３１から分割する。一つかそれ以上の円周位置において、空気穴（図示せず）をこの空気室３２の半径方向内壁に形成し、空気用開口２２を容器の内部に連絡する。
【００１８】
ラジアルアーム１３が、環状吐き出し室３１と環状空気室３２との両者を円周方向に遮断し、これらアームの先端が上部構成部材１０の円筒形内壁に摩擦接触する。図２に示した２つのアーム１３のうち上部のアームは、機械的バランスのみを目的として配設したもので省略することができる。あるいは、ここに穴加工してもよい。ただし、他方のアームの先端は、上部構成部材１０が図２および図３に示す位置に回転したさいに、スパウト１５の内端開口および空気用開口２２の両者を閉塞する閉塞要素として作用する。閉塞作用を強めるために、周辺２３が形成する環状バリヤシール上下において閉塞アーム１３の先端に弾性パッド２１、３３を固定してもよい。
【００１９】
なお、下部構成部材１１は、上部構成部材１０よりも柔らかい材料で成型するのが好ましく、この場合には弾性パッド３３、２１は必要ない。
【００２０】
ポンプを使用するさいには、上部構成部材１０を、スパウト１５の内開口および空気用開口２２がアーム１３によって閉塞されない位置まで回転する。ベローズ１６を圧縮すると、スパウト１５から空気が吐き出される。ベローズ１６の圧力を解除すると、元の形に戻り、弁１９を介して容器の内容物をベローズ内部に吸引する。次に、ベローズ１６を圧縮すると、弁１９が閉じ、上部構成部材１０の内部の内容物が弁１７により吐き出し室３１内に吐き出され、次にスパウト１５から吐き出される。この工程は、言うまでもなく、容器から液体又はペーストの所望の分量を取り出すのに必要なだけ繰り返すことが可能である。
【００２１】
ベローズ１６の代わりに、単純な球を使用してもよい。この、ディスペンサーの閉位置で上部構成部材１０からの内容物の漏れを防止する改良シールによれば、複雑でコストの高いピストン／シリンダ式ポンプの代わりにこの種の可撓性ポンプを使用することができ、ディスペンサーが“閉”位置にあるときにポンプの作動を防止する機械的ロックを使用する必要がなくなる。
【図面の簡単な説明】
【００２２】
添付図面は、本発明の好適な実施例を示すものである。
【図１】本発明のディスペンサーポンプを示す正面図である。
【図２】図１のＢ−Ｂ線についての断面図である。
【図３】図１のＡ−Ａ線についての断面図である。
【図４】上部構成部材から分離した状態にあるディスペンサーポンプの下部構成部材を示す斜視図である。
【符号の説明】
【００２３】
１０：上部構成部材、
１１：下部構成部材、
１３：閉塞要素、
１５：スパウト開口、
１６：ベローズ、
１７：第２逆止め弁、
１９：第１逆止め弁、
２１、３３：パッド、
２２：空気用開口、
２３：バリヤシール、
３０：流路、
３１：環状吐き出し室、
３２：空気室である。
【国際公開パンフレット】
2005506194.tif 000003
2005506194.tif 000004
2005506194.tif 000005
2005506194.tif 000006
2005506194.tif 000007
2005506194.tif 000008
2005506194.tif 000009
2005506194.tif 000010
2005506194.tif 000011
2005506194.tif 000012
2005506194.tif 000013
【国際調査報告】
2005506194.tif 000014
2005506194.tif 000015